(57)【要約】【課題】表示パネルに加わるあらゆる方向からの衝撃を緩衝し、表示パネルを確実に保護することができる表示装置および表示装置用パネルを提供する。【解決手段】対向側偏光板２００および駆動側偏光板３００は、液晶表示パネル１００の外部接続領域１００Ｂが設けられた一辺を除く三辺に、拡張部２００Ａ，３００Ａを有している。枠４００は、表示パネル１００の四辺との間に第１の隙間Ｇ１を有しており、対向側偏光板２００の拡張部２００Ａは、この第１の隙間Ｇ１を超えて枠４００に固定されている。表示パネル１００に加わる各方向からの初期衝撃は、対向側偏光板２００の拡張部２００Ａが弾性変形することにより緩衝され、吸収される。よって、衝撃による表示パネル１００の割れなどが確実に抑制される。【選択図】図１
2008170584.tif 000002
【特許請求の範囲】
【請求項１】
駆動基板および対向基板が対向配置された矩形の表示パネルと、
前記対向基板に貼り合わせられ、前記表示パネルの少なくとも二辺に前記対向基板からはみ出した拡張部を有する弾性変形可能な対向側支持板と、
前記駆動基板に貼り合わせられ、前記表示パネルの少なくとも二辺に前記駆動基板からはみ出した拡張部を有する弾性変形可能な駆動側支持板と、
前記表示パネルの側面を囲むと共に、前記表示パネルの四辺との間に第１の隙間を有する矩形の枠と
を備え、
前記対向側支持板および前記駆動側支持板のうち一方の拡張部は、前記第１の隙間を超えて前記枠に固定されている
ことを特徴とする表示装置。
【請求項２】
前記対向側支持板および前記駆動側支持板のうち他方の拡張部と前記枠との間に前記第１の隙間よりも小さい第２の隙間が設けられている
ことを特徴とする請求項１記載の表示装置。
【請求項３】
前記拡張部は、三点以上の点で前記枠に固定されている
ことを特徴とする請求項１記載の表示装置。
【請求項４】
前記表示パネルは、前記駆動基板と前記対向基板とが重ね合わされた重なり領域と、前記駆動基板の一部が前記対向基板からはみ出している外部接続領域とを有し、
前記外部接続領域に、前記駆動側支持板および前記対向側支持板のうち少なくとも一方が貼り合わせられている
ことを特徴とする請求項１記載の表示装置。
【請求項５】
前記表示パネルは、前記駆動基板側を上面として前記枠に配設され、前記駆動側支持板の拡張部が前記枠に固定されている
ことを特徴とする請求項１記載の表示装置。
【請求項６】
前記対向側支持板または前記駆動側支持板のうち一方は、前記対向基板または前記駆動基板に貼り合わせるための粘着材層を有すると共に、前記拡張部に前記枠への固定部を有しており、
前記固定部は、前記粘着材層とは異なる材料よりなる固定用接着層および前記貼合用接着層とは異なる取付構造のうち少なくとも一方を有する
ことを特徴とする請求項１記載の表示装置。
【請求項７】
前記表示パネルは、前記駆動基板および前記対向基板の間に液晶層を有する液晶表示パネルであり、
前記対向側支持板および前記駆動側支持板は偏光板である
ことを特徴とする請求項１記載の表示装置。
【請求項８】
前記対向側支持板および前記駆動側支持板のうち一方に、光源および導光板を備え、
前記一方と前記導光板との間に第３の隙間が設けられている
ことを特徴とする請求項７記載の表示装置。
【請求項９】
前記表示パネルは、前記駆動基板上に有機発光素子が設けられた有機発光表示パネルであり、
前記対向側支持板および前記駆動側支持板は反射防止膜および偏光板のうち少なくとも一方である
ことを特徴とする請求項１記載の表示装置。
【請求項１０】
駆動基板および対向基板が対向配置された矩形の表示パネルと、
前記対向基板に貼り合わせられ、前記表示パネルの少なくとも二辺に前記対向基板からはみ出した拡張部を有する弾性変形可能な対向側支持板と、
前記駆動基板に貼り合わせられ、前記表示パネルの少なくとも二辺に前記駆動基板からはみ出した拡張部を有する弾性変形可能な駆動側支持板と
を備え、
前記対向側支持板および前記駆動側支持板のうち一方の拡張部のはみ出し量は、前記表示パネルの側面を囲む矩形の枠と前記表示パネルの四辺との間に設けられる第１の隙間の幅よりも大きい
ことを特徴とする表示装置用パネル。
【請求項１１】
前記対向側支持板と前記駆動側支持板のうち他方の拡張部のはみ出し量は前記第１の隙間の幅よりも小さい
ことを特徴とする請求項１０記載の表示装置用パネル。
【請求項１２】
前記表示パネルは、前記駆動基板と前記対向基板とが重ね合わされた重なり領域と、前記駆動基板の一部が前記対向基板からはみ出している外部接続領域とを有し、
前記外部接続領域に、前記駆動側支持板および前記対向側支持板のうち少なくとも一方が貼り合わせられている
ことを特徴とする請求項１０記載の表示装置用パネル。
【発明の詳細な説明】
【技術分野】
【０００１】
本発明は、液晶または有機発光表示装置などに好適な表示装置および表示装置用パネルに係り、特に薄型のものに有効な表示装置および表示装置用パネルに関する。
【背景技術】
【０００２】
液晶または有機発光表示装置などの表示パネルは、薄膜デバイスなどが形成された二枚の基板の間に液晶や有機発光（有機ＥＬ（エレクトロルミネセンス））素子などの表示素子を設けたものであり、枠（フレーム）に接着したモジュールとして製品に組み込まれている。
【特許文献１】特開２００５−４９４５０号公報
【発明の開示】
【発明が解決しようとする課題】
【０００３】
このような表示パネルの基板の材質としてはガラスが一般的であるが、問題点として非常に脆く、特に耐衝撃または耐落下強度に対する配慮が要求される。従来のモジュールでは、液晶表示パネルを枠に両面接着テープなどで直接接着する場合が多く、モジュールが外部から衝撃を受けた場合、その衝撃がほぼ直接的に液晶表示パネルに伝わってしまい、割れてしまうおそれもあった。また、二枚の基板の一方には、画像信号などの入出力のための外部接続領域が設けられており、この外部接続領域は、一般的には、ガラス基板一枚のみで構成されるので、ガラス基板二枚で構成される他の部分に比較して強度が約半分と最も弱くなっており、割れなどに対し更なる配慮が望まれていた。
【０００４】
更に、表示パネルを枠に接着する際には、表示パネルの角（交差する二辺）を枠に接触させて水平方向の位置出しを行うようにしていたので、表示パネルに割れなどの損傷が生じるおそれがあった。なお、表示パネルの水平方向の位置出しを特別な設備を使って行い、表示パネルの側面と枠との接触を避けることも可能であるが、それにはまず、表示パネルを設備に装着する際の完全なパネル保護が難しいという問題があった。また、設備精度に起因して、枠とのクリアランスを必要以上に表示パネルの全周にわたり確保する必要があり、額縁を必要以上に広くとらなければならなくなってしまっていた。更に、組立コストも増大し、ハンドリングや設備の構築のためのコストが必要となってしまうという問題もあった。
【０００５】
ちなみに、特許文献１では、偏光板をガラス基板の外形よりも大きくして、偏光板の張出部をフレームに接着するようにした構成が開示されている。しかしながら、この従来構造では、パネル主面に加えられた衝撃のみを考慮しており、パネル端面（側面）への水平方向の衝撃に対しては十分な対策がとられておらず、表示パネルの破損を十分に防止することができないという問題があった。また、表示パネルの平面方向位置出しのため、一枚のガラス基板のみで構成された最も弱い部分をフレームに直接接触させるようにしていたので、衝撃に対して極めて弱くなってしまっていた。他辺の二枚のガラス基板から構成された側面を用いて位置出しを行ったとしても、フレームとの接触を完全に避けられず、表示パネルの破損のおそれは残ってしまっていた。
【０００６】
本発明はかかる問題点に鑑みてなされたもので、その目的は、表示パネルに加わるあらゆる方向からの衝撃を緩衝し、表示パネルを確実に保護することができる表示装置および表示装置用パネルを提供することにある。
【課題を解決するための手段】
【０００７】
本発明による表示装置は、駆動基板および対向基板が対向配置された矩形の表示パネルと、対向基板に貼り合わせられ、表示パネルの少なくとも二辺に対向基板からはみ出した拡張部を有する弾性変形可能な対向側支持板と、駆動基板に貼り合わせられ、表示パネルの少なくとも二辺に駆動基板からはみ出した拡張部を有する弾性変形可能な駆動側支持板と、表示パネルの側面を囲むと共に、表示パネルの四辺との間に第１の隙間を有する矩形の枠とを備え、対向側支持板および駆動側支持板のうち一方の拡張部は、第１の隙間を超えて枠に固定されているものである。
【０００８】
本発明による表示装置用パネルは、駆動基板および対向基板が対向配置された矩形の表示パネルと、対向基板に貼り合わせられ、表示パネルの少なくとも二辺に対向基板からはみ出した拡張部を有する弾性変形可能な対向側支持板と、駆動基板に貼り合わせられ、表示パネルの少なくとも二辺に駆動基板からはみ出した拡張部を有する弾性変形可能な駆動側支持板とを備え、対向側支持板および駆動側支持板のうち一方の拡張部のはみ出し量は、表示パネルの側面を囲む矩形の枠と表示パネルの四辺との間に設けられる第１の隙間の幅よりも大きいものである。
【０００９】
本発明の表示装置または本発明の表示装置用パネルでは、表示パネルに加わる各方向からの初期衝撃は、対向側支持板または駆動側支持板の拡張部が弾性変形することにより緩衝され、吸収される。また、表示パネルの四辺と枠との間に第１の隙間が設けられているので、表示パネルの側面と枠とが直接接触することが回避される。よって、衝撃による表示パネルの割れなどが確実に抑制される。
【発明の効果】
【００１０】
本発明の表示装置または本発明の表示装置用パネルによれば、表示パネルの四辺と枠との間に第１の隙間が設けられており、対向側支持板および駆動側支持板のうち一方の拡張部が、この第１の隙間を超えて枠に固定されるようにしたので、表示パネルに加わるあらゆる方向からの衝撃を緩衝し、表示パネルを破損から確実に保護することができる。
【発明を実施するための最良の形態】
【００１１】
以下、本発明の実施の形態について、図面を参照して詳細に説明する。
【００１２】
（第１の実施の形態）
図１および図２は、本発明の第１の実施の形態に係る液晶表示装置の断面構成を表すものである。この液晶表示装置は、デジタルカメラ，ＰＤＡ（Personal Digital Assistants ）または携帯電話などに用いられる薄型モジュールであり、例えば、矩形の液晶表示パネル１００と、この液晶表示パネル１００の上面（視認面）および下面にそれぞれ貼り合わせられた対向側偏光板２００および駆動側偏光板３００と、液晶表示パネル１００の側面を囲む矩形の枠４００とを備えている。ここに「薄型モジュール」とは、表示パネルを構成する二枚の基板のうちいずれか片側の厚みが、対向側偏光板２００の厚みの倍よりも薄いもの（（片側基板厚み）＜（対向側偏光板厚みの倍））をいう。
【００１３】
液晶表示パネル１００は、駆動基板１１０と対向基板１２０との間に液晶（図示せず）を有しており、液晶の種類や駆動方式などは特に限定されない。また、液晶表示パネル１００は、駆動基板１１０と対向基板１２０とが重ね合わされた重なり領域１００Ａと、駆動基板１１０が対向基板１２０からはみ出している外部接続領域１００Ｂとを有している。外部接続領域１００Ｂは、駆動基板１１０の一辺に沿って設けられ、外部接続のためのＦＰＣ（Flexible Printed Circuit；フレキシブルプリント配線基板）１３０が接続されている。
【００１４】
駆動基板１１０は、ガラス基板に駆動回路，各画素に対応する画素電極および配向膜（いずれも図示せず）を設けたものである。対向基板１２０は、ガラス基板にカラーフィルタ，共通電極および配向膜（いずれも図示せず）を設けたものである。
【００１５】
対向側偏光板２００は、液晶表示パネル１００の外部接続領域１００Ｂが設けられた一辺を除く三辺に、対向基板１２０からはみ出した拡張部２００Ａを有している。拡張部２００Ａのはみ出し量Ｌ１は、後述するように、枠４００と表示パネル１００との間に設けられる第１の隙間Ｇ１よりも大きくなっている。また、この対向側偏光板２００は、図３（Ａ）に示したように、対向基板１２０の側から順に、対向基板１２０に貼り合わせるための粘着材層２０１，合成樹脂よりなる保護層２０２，ヨウ素系の偏光子２０３および合成樹脂よりなる保護層２０４を積層したものであり、全体として弾性変形特性を有している。ここで、対向側偏光板２００は、本発明の「対向側支持板」の一具体例に対応している。
【００１６】
駆動側偏光板３００は、液晶表示パネル１００の外部接続領域１００Ｂが設けられた一辺を除く三辺に、駆動基板１１０からはみ出した拡張部３００Ａを有している。拡張部３００Ａのはみ出し量Ｌ２は、後述するように、枠４００と表示パネル１００との間に設けられる第１の隙間Ｇ１よりも小さくなっている。駆動側偏光板３００は、図３（Ｂ）に示したように、駆動基板１１０の側から順に、駆動基板１１０に貼り合わせるための粘着材層３０１，保護層３０２，偏光子３０３，保護層３０４，粘着材層３０５および輝度向上フィルム３０６を積層したものであり、全体として弾性変形特性を有している。ここで、駆動側偏光板３００は、本発明の「駆動側支持板」の一具体例に対応している。
【００１７】
図１および図２に示した枠４００は、例えば、高反射特性を有する樹脂（プラスチック）またはステンレス鋼などにより構成されている。枠４００は、表示パネル１００の四辺との間に第１の隙間Ｇ１を有しており、対向側偏光板２００の拡張部２００Ａは、この第１の隙間Ｇ１を超えて枠４００に固定されている。これにより、この液晶表示装置では、表示パネル１００に加わるあらゆる方向からの衝撃を緩衝し、表示パネル１００を破損から確実に保護することができるようになっている。
【００１８】
対向側偏光板２００の拡張部２００Ａは、三点以上の点で枠４００に固定されていることが好ましい。特に落下衝撃などにより発生した枠４００の捩れ変形の影響を緩和することができ、より確実に表示パネル１００を保護することができるからである。
【００１９】
対向側偏光板２００の拡張部２００Ａには、枠４００への固定部２００Ｂが設けられている。この固定部２００Ｂには、粘着材層２０１とは異なる材料よりなる枠固定用接着層が設けられていてもよいし、粘着材層２０１とは異なる取付構造、例えば、枠４００に図４に示したような爪４１０が２箇所以上設けられていてもよく、またこれらの両方が設けられていてもよい。このようにすれば、粘着材層２０１を、温度特性などの観点から表示パネル１００と対向側偏光板２００との接着強度の適性値のみを考慮して選択することができる。また、修理の際に、表示パネル１００を破損させることなく容易に枠４００から取り外せるように固定部２００Ｂの材料または構造を選択することも可能となる。なお、固定部２００Ｂには、液晶表示装置の薄型化の観点から、粘着材層２０１と同一の粘着材層が設けられていてもよい。
【００２０】
駆動側偏光板３００の拡張部３００Ａと枠４００との間には、第１の隙間Ｇ１よりも小さい第２の隙間Ｇ２が設けられている（Ｇ１＞Ｇ２≧０）。このように駆動側偏光板３００の拡張部３００Ａが表示パネル１００の端面からはみ出していることにより、表示パネル１００の端面と枠４００との直接接触を避けられると共に、表示パネル１００の端面を衝撃から保護することができる。また、後述するように、製造工程において、駆動側偏光板３００の拡張部３００Ａを用いて表示パネル１００と枠４００との平面方向位置合わせを行うこともできる。
【００２１】
表示パネル１００の駆動側偏光板３００の側には、ＬＥＤ（Light Emitting Diode）よりなる光源５００、導光板（ライトガイド）６００および光学シート６１０が設けられている。光源５００および導光板６００は、枠４００の下部を塞ぐ底板４００Ａの上に設けられている。光学シート６１０は、導光板６００と駆動側偏光板３００との間に挿入され、光学特性向上のための拡散シートまたはプリズムシート等である。駆動側偏光板３００と光学シート６１０との間には第３の隙間Ｇ３が設けられており、表示パネル１００への負荷および落下などにより発生する表示パネル１００への衝撃などを緩和することができるようになっている。なお、光学シート６１０は必要に応じて設ければよく、光学シート６１０を設けない場合には、駆動側偏光板３００と導光板６００との間に上述した第３の隙間Ｇ３を設けるようにすればよい。
【００２２】
第３の隙間Ｇ３は、落下時などに生ずる対向側偏光板２００の撓み量よりも大きいことが好ましい。撓みによる衝突を避けることにより、対向側偏光板２００の拡張部２００Ａによる厚み方向緩衝効果が最大となるからである。ここで、対向側偏光板２００の撓み量は、対向側偏光板２００が支える質量をＷ、落下などで保証したい衝撃をＧ値（重力加速度の何倍かを表す単位で、１Ｇ≒９．８ｍ／ｓ2 ）として、加わる衝撃強度を公知のように［Ｗ×Ｇ］で求めれば、その衝撃強度相当を対向側偏光板２００に加えた際の撓み量を実測することで容易に推測可能である。
【００２３】
なお、第３の隙間Ｇ３の設定は、モジュールの厚みに直結するので、薄型化を優先し十分な隙間Ｇ３を確保できない場合も想定される。しかし、このような場合にも、衝撃を受けた状態で隙間Ｇ３が０になる間は、対向側偏光板２００の緩衝効果が発揮され、表示パネル１００への衝撃などを緩和することができる。更に、衝撃を受けた状態では、駆動側偏光板３００と隙間Ｇ３を間にして対向する部材（光学シート６１０または導光板６００）も同時に衝撃を受けて同方向に撓みが発生するので、もし対向する部材と対向側偏光板２００との弾性変形特性を同じにできたと仮定すれば、隙間Ｇ３は必要最小限（≒０）とすることが可能で、緩衝効果も最大に期待可能となる。
【００２４】
このような液晶表示装置は、例えば、次のようにして製造することができる。
【００２５】
まず、駆動基板１１０および対向基板１２０をそれぞれ形成し、両者の間に液晶を封入して液晶表示パネル１００を形成する。
【００２６】
次いで、対向基板１２０に対向側偏光板２００を、駆動基板１１０に駆動側偏光板３００をそれぞれ所定位置に貼り合わせ、表示装置用パネルを作製する。ここでの所定位置とは、枠４００との間に上述した第１の隙間Ｇ１および第２の隙間Ｇ２が得られる位置のことである。すなわち、図５に示したように、拡張部２００Ａのはみ出し量Ｌ１を、枠４００と表示パネル１００との間に設けられる第１の隙間Ｇ１よりも大きくする一方、拡張部３００Ａのはみ出し量Ｌ２を、第１の隙間Ｇ１よりも小さくして、拡張部３００Ａと枠４００との間に第１の隙間Ｇ１よりも小さい第２の隙間Ｇ２が形成されるようにする。これにより、液晶表示パネル１００の側面を対向側偏光板２００の拡張部２００Ａおよび駆動側偏光板３００の拡張部３００Ａで保護することができ、液晶表示パネル１００の搬送や取扱いの利便性を著しく向上させることができる。
【００２７】
液晶表示パネル１００に対向側偏光板２００および駆動側偏光板３００を貼り合わせたのち、液晶表示パネル１００と枠４００との間には第１の隙間Ｇ１および第２の隙間Ｇ２がとられて両者が位置合わせされ、対向側偏光板２００の拡張部２００Ａを枠４００に固定する。その際、駆動側偏光板３００の拡張部３００Ａの少なくとも交差する二辺の外形を枠４００に合わせることにより、表示パネル１００を枠４００に接触させないと同時に容易に位置合わせが可能である。これに対して、上述した特許文献１では、パネルの端面を直接枠に接触させて水平方向位置合わせを行っていたので、位置合わせの際にパネルに衝撃が加わり、破損のおそれもあった。
【００２８】
この液晶表示装置では、光源５００からの光が、導光板６００，光学シート６１０，駆動側偏光板３００，駆動基板１１０，液晶，対向基板１２０および対向側偏光板２００を通過して視認面表示領域に出射される。ここでは、表示パネル１００の四辺と枠４００との間に第１の隙間Ｇ１が設けられており、対向側偏光板２００の拡張部２００Ａが、この第１の隙間Ｇ１を超えて枠４００に固定されている。よって、表示パネル１００は、対向側偏光板２００のみにより支えられている構造となる。これにより、表示パネル１００に加わる各方向からの初期衝撃は、対向側偏光板２００の拡張部２００Ａが弾性変形することにより緩衝され、吸収される。従って、衝撃による表示パネル１００の割れなどが確実に抑制される。
【００２９】
この液晶表示装置は、例えば図６に示したように、マグネシウム（Ｍｇ）を含む合金などの高剛性材料よりなるシャーシ７００に収納されると共に、プラスチックなどよりなる透明板８００で上面（視認面）が覆われ、更に、ガラス繊維を含むポリカーボネイトなどの高剛性材料よりなる外筐９００に収容されることにより、携帯電話機などの電子機器の液晶表示部を構成することができる。なお、対向側偏光板２００と透明板８００との間には、表示領域の周辺の額縁スペースを覆う遮光テープ８１０が貼り付けられていてもよい。遮光テープ８１０に代えて、透明板８００に、印刷により遮光膜が設けられていてもよい。
【００３０】
このような電子機器では、例えば図６の場合、透明板８００が指などで外から強く押されて撓んだ場合、まず対向側偏光板２００がほぼ上述した隙間Ｇ３量で撓み、同時にほぼ同じ量の撓みが表示パネル１００および駆動側偏光板３００にも発生し、最終的には光学シート６１０および導光板６００などを介して、外から加わった負荷がシャーシ７００で支えられ、それ以上はほぼ撓まなくなると共に表示パネル１００の破損なども防止される。更に、表示パネル１００も十分な弾性変形特性を有しており、弾性限界内（破損するまで、とほぼ同義）の撓み量なので、負荷が除かれると元の正常な状態に復帰する。
【００３１】
以上のように本実施の形態では、表示パネル１００の四辺と枠４００との間に第１の隙間Ｇ１を設け、対向側偏光板２００の拡張部２００Ａを、この第１の隙間Ｇ１を超えて枠４００に固定するようにしたので、外部からのあらゆる方向からの衝撃を緩和し、表示パネル１００を破損から確実に保護することができる。また、特別な緩衝部材を追加する必要はなく、表示パネル１００と枠４００との固定用両面接着テープも不要となり、従って厚みを増やすことがないので、薄型化・軽量化に極めて有利であると同時にコスト削減にも有効となる。更に、表示パネル１００と枠４００との固定用両面接着テープの接着スペースが不要となり、額縁スペースを最小にする設計も可能となる。加えて、表示パネル１００と対向側偏光板２００および駆動側偏光板３００との貼り合わせ面積を表示パネル１００とほぼ同じにすることが可能となり、表示パネル１００への衝撃集中を最大限に避けられる構造とすることができ、衝撃による表示パネル１００の割れなどを確実に抑制することができる。
【００３２】
特に、駆動側偏光板３００の拡張部３００Ａと枠４００との間に、第１の隙間Ｇ１よりも小さい第２の隙間Ｇ２を設けるようにしたので、表示パネル１００の端面と枠４００との直接接触を避けられると共に、表示パネル１００の端面を衝撃から保護することができる。また、製造工程において、駆動側偏光板３００の拡張部３００Ａの少なくとも交差する二辺を用いて表示パネル１００と枠４００との平面方向位置合わせを行うこともできる。
【００３３】
なお、上記実施の形態では、図２に示したように、駆動基板１１０の外部接続領域１００Ｂを補強するため、外部接続領域１００Ｂまで駆動側偏光板２００を延ばした場合について説明したが、薄型化・スペース上の理由などにより、光学上必要な最小範囲に止めてもよい。この場合には、後述するように、対向側偏光板２００を外部接続領域１００Ｂまで延ばすことにより補強することが望ましい。
【００３４】
例えば、図２では、外部接続領域１００Ｂには対向側偏光板２００が設けられていない場合を表しているが、ＦＰＣ１３０の厚みが対向基板１２０の厚み以下であれば、駆動側偏光板３００が外部接続領域１００Ｂを覆っていない場合、ＦＰＣ１３０を実装したのちに対向側偏光板２００を貼り付けることで、外部接続領域１００Ｂに対向側偏光板２００を拡張するようにしてもよい。これによりＦＰＣ１３０と駆動基板１１０との剥離保護を兼ねることも可能となる。更に、図７に示したように、対向側偏光板２００の外部接続領域１００Ｂに延在する部分と、ＦＰＣ１３０および駆動基板１１０との間に、紫外線硬化性樹脂１４０などを塗布すれば、最も強度の弱い外部接続領域１００Ｂの駆動基板１１０の強度およびＦＰＣ１３０の剥離強度をも大幅に向上させることが可能となる。加えて、このようにした場合、対向側偏光板２００を外部接続領域１００Ｂに延ばしたことにより、紫外線硬化性樹脂１４０の塗布量に起因する厚み規制が従来より容易となり、特に薄型表示パネルには有効である。
【００３５】
なお、ＦＰＣ１３０を上述したような厚み（対向基板１２０の厚み以下）とした場合、当然、駆動側偏光板３００と対向側偏光板２００との両方を外部接続領域１００Ｂまで延ばすことも可能であり、紫外線硬化性樹脂１４０を塗布することも可能である。これにより、外部接続領域１００Ｂの補強を更に確実にすることができる。
【００３６】
更に、対向側偏光板２００を外部接続領域１００Ｂに延ばすだけでなく、外部接続領域１００Ｂからはみ出させて拡張部２００Ａを設け、対向側偏光板２００を枠４００に固定して支持するようにしてもよい。これにより、衝撃を確実に緩和すると共に防塵向上も可能となる。この場合、枠４００に穴を設けて対向側偏光板２００受け部を設けつつＦＰＣ１３０を穴から外に出すようにすることも可能であるが、図８に示したように、穴などを設けずに、対向側偏光板２００の拡張部２００Ａと枠４００との間のＦＰＣ出口部４２０から、ＦＰＣ１３０を外に出すようにしてもよい。
【００３７】
（第２の実施の形態）
図９は、本発明の第２の実施の形態に係る液晶表示装置の断面構成を表したものである。この液晶表示装置は、液晶表示パネル１００が、駆動基板１１０側を上面（視認面）として枠４００に配設され、駆動側偏光板３００の拡張部３００Ａが、第１の隙間Ｇ１を超えて枠４００に固定されていることを除いては、第１の実施の形態で説明した液晶表示装置と同様の構成および作用・効果を有している。よって、同一の構成要素には同一の符号を付して説明する。
【００３８】
液晶表示パネル１００および枠４００は、第１の実施の形態と同様に構成されている。表示パネル１００の四辺と枠４００との間には、第１の実施の形態と同様に、第１の隙間Ｇ１が設けられている。
【００３９】
駆動側偏光板３００は、液晶表示パネル１００の重なり領域１００Ａおよび外部接続領域１００Ｂの全面にわたり貼り合わせられている。これにより、駆動基板１１０のみにより構成されている外部接続領域１００Ｂの強度を高め、表示パネル１００を破損からより確実に保護することができる。なお、駆動側偏光板３００の拡張部３００Ａには、枠４００への固定のため、第１の実施の形態で説明した固定部２００Ｂと同様の固定部３００Ｂが設けられている。
【００４０】
対向側偏光板２００は、液晶表示パネル１００の外部接続領域１００Ｂが設けられた一辺を除く三辺に、対向基板１２０からはみ出した拡張部２００Ａを有している。拡張部２００Ａのはみ出し量Ｌ２は第１の隙間Ｇ１よりも小さくなっており、対向側偏光板２００の拡張部２００Ａと枠４００との間には、第１の隙間Ｇ１よりも小さい第２の隙間Ｇ２が設けられている（Ｇ１＞Ｇ２≧０）。
【００４１】
この液晶表示装置は、駆動側偏光板３００の拡張部３００Ａを枠４００に固定することを除いては、第１の実施の形態と同様にして製造することができる。
【００４２】
なお、本実施の形態では、駆動側偏光板３００の拡張部３００Ａが、外部接続領域１００Ｂが設けられた辺を除く３辺に設けられている場合について説明したが、外部接続領域１００Ｂにも拡張部３００Ａを設けて枠４００に固定するようにしてもよい。このような支持構造とした場合には、枠４００に穴を設けて駆動側偏光板３００受け部を設けつつＦＰＣ１３０を穴から外に出すようにすることも可能であるが、図８に示した場合と同様に、穴などを設けずに、駆動側偏光板３００の拡張部３００Ａと枠４００との間のＦＰＣ出口部（図示せず）からＦＰＣ１３０を外に出すようにしてもよい。
【００４３】
逆に、駆動側偏光板３００は、スペース等の理由により、液晶表示パネル１００の外部接続領域１００Ｂを覆わず、重なり領域１００Ａのみに貼り合わせられているようにしてもよい。
【００４４】
この場合、外部接続領域１００Ｂの強度が問題となるときは、後述するように、対向側基板２００を外部接続領域１００Ｂまで延ばすことにより補強することが望ましい。
【００４５】
例えば、図９では、外部接続領域１００Ｂには対向側偏光板２００が設けられていない場合を表しているが、ＦＰＣ１３０の厚みが対向基板１２０の厚み以下であれば、駆動側偏光板３００が外部接続領域１００Ｂを覆っていない場合、ＦＰＣ１３０を実装したのちに対向側偏光板２００を貼り付けることで、外部接続領域１００Ｂに対向側偏光板２００を拡張するようにしてもよい。これにより、ＦＰＣ１３０と駆動基板１１０との剥離保護を兼ねることも可能となる。更に、対向側偏光板２００の外部接続領域１００Ｂに延在する部分と、ＦＰＣ１３０および駆動基板１１０との間に、紫外線硬化性樹脂１４０などを塗布すれば、最も強度の弱い外部接続領域１００Ｂの駆動基板１１０の強度およびＦＰＣの剥離強度をも大幅に向上させることが可能となる。加えて、このようにした場合、対向側偏光板２００を外部接続領域１００Ｂに延ばしたことにより、紫外線硬化性樹脂１４０の塗布量に起因する厚み規制が従来より容易となり、特に薄型表示パネルには有効である。
【００４６】
なお、ＦＰＣ１３０を上述した厚み（対向基板１２０の厚み以下）とした場合には、当然、駆動側偏光板３００と対向側偏光板２００との両方を外部接続領域１００Ｂまで延ばすことも可能であり、紫外線硬化性樹脂１４０を塗布することも可能である。このようにすれば、外部接続領域１００Ｂの補強を更に確実とすることができる。
【００４７】
以上、実施の形態を挙げて本発明を説明したが、本発明は上記実施の形態に限定されるものではなく、種々変形が可能である。例えば、上記実施の形態では、拡張部２００Ａ，３００Ａを、液晶表示パネル１００の外部接続領域１００Ｂが設けられた一辺を除く三辺に設けるようにした場合について説明したが、上面（視認面）側の基板および枠４００に取り付けられる偏光板の拡張部は、表示パネル１００の少なくとも平行する二辺に設ければよく、下側（導光板６００側）の基板に貼り合わせられる偏光板の拡張部は、表示パネル１００の少なくとも交差する二辺に設ければよい。
【００４８】
更に、例えば、上記実施の形態において説明した各層の材料および厚みなどは限定されるものではなく、他の材料および厚みとしてもよい。
【００４９】
更に、上記実施の形態では、液晶表示装置の構成を具体的に挙げて説明したが、全ての層を備える必要はなく、また、他の層を更に備えていてもよい。
【００５０】
加えて、上記実施の形態等では、透過型の液晶表示装置について説明したが、本発明は反射型や半透過型の液晶表示装置、あるいは駆動基板上に有機発光（有機ＥＬ）素子が設けられた有機発光表示装置にも適用することが可能である。この場合、偏光板あるいは反射防止膜などの光学フィルムに拡張部を設け、この拡張部を枠に固定するようにすることが可能である。
【図面の簡単な説明】
【００５１】
【図１】本発明の第１の実施の形態に係る液晶表示装置の構造を表す断面図である。
【図２】図１のＩＩ−ＩＩ線に沿った構成を表す断面図である。
【図３】図１に示した対向側偏光板および駆動側偏光板の構成を表す断面図である。
【図４】図１に示した固定部の他の構成例を表す断面図である。
【図５】図１に示した液晶表示装置の製造工程を表す断面図である。
【図６】図１に示した液晶表示装置を備えた電子機器の構成を表す断面図である。
【図７】図１に示した液晶表示装置の変形例を表す断面図である。
【図８】図１に示した液晶表示装置の変形例を表す図であり、（Ａ）は正面図、（Ｂ）は前面矢視図、（Ｃ）はＶＩＩＩＣ−ＶＩＩＩＣ線に沿った断面図である。
【図９】本発明の第２の実施の形態に係る液晶表示装置の構造を表す断面図である。
【符号の説明】
【００５２】
１００…液晶表示パネル、１００Ａ…重なり領域、１００Ｂ…外部接続領域、１１０…駆動基板、１２０…対向基板、１３０…ＦＰＣ、１４０…紫外線硬化性樹脂、２００…対向側偏光板、２００Ａ，３００Ａ…拡張部、３００…駆動側偏光板、４００…枠、５００…光源、６００…導光板（ライトガイド）、６１０…光学シート
【図１】
2008170584.tif 000003
【図２】
2008170584.tif 000004
【図３】
2008170584.tif 000005
【図４】
2008170584.tif 000006
【図５】
2008170584.tif 000007
【図６】
2008170584.tif 000008
【図７】
2008170584.tif 000009
【図８】
2008170584.tif 000010
【図９】
2008170584.tif 000011